(57)【要約】【課題】取付部位の状況、或いは必要性に応じ無駄のない使用ができるとともに、汎用性のある開閉検知スイッチを提供する。【解決手段】プッシュ釦２，３２がケース体１，３１の前面に設けられた第１スイッチＡと第２スイッチＢからなり、ケース体１の側面にコネクタ差込口１４を形成し、該コネクタ差込口内に第１スイッチの導電部５，７と連なる接続ピン４，６を突設し、ケース体３１の側面には第２スイッチＢの導電部３５，３７と連なる接続ピン３４，３６を突設し、ケース体１とケース体３１とを互いに背中あわせとして連結することで、コネクタ差込口１４内にて接続ピン３４，３６を接続ピン４，６と平行に配設する。【選択図】図１０
2015089381.tif 000002
【特許請求の範囲】
【請求項１】
電気接点を開閉させるプッシュ釦がケース体の前面にそれぞれ出没自在なるように設けられた第１スイッチと第２スイッチからなり、前記第１スイッチのケース体の側面にコネクタ差込口を形成し、該コネクタ差込口内に該第１スイッチの両導電部とそれぞれ連なる一対の接続ピンを突設し、前記第２スイッチのケース体の側面には該第２スイッチの両導電部とそれぞれ連なる一対の接続ピンを突設し、前記第１スイッチのケース体と前記第２スイッチのケース体とを互いに背中あわせとして連結した状態で前記第２スイッチの接続ピンが前記コネクタ差込口内にて前記第１スイッチの接続ピンと平行状態で配設されるようにしたことを特徴とする開閉検知スイッチ。
【請求項２】
電気接点を開閉させるプッシュ釦がケース体の前面にそれぞれ出没自在なるように設けられた第１スイッチと第２スイッチからなり、前記第１スイッチのケース体の側面にコネクタ差込口を形成し、該コネクタ差込口内に該第１スイッチの両導電部とそれぞれ連なる一対の接続ピンを突設し、前記第２スイッチのケース体の側面には該第２スイッチの一方の導電部と連なる接続ピンを突設するとともに該第２スイッチの他方の導電部と連なる接触部を該第２スイッチのケース体の背面に配設し、前記第１スイッチのケース体と前記第２スイッチのケース体とを互いに背中あわせとして連結することにより、前記第２スイッチの接続ピンが前記コネクタ差込口内にて前記第１スイッチの接続ピンと平行状態で配設され、前記接触部が前記第１スイッチの一方の導電部と電気的に導通するようにしたことを特徴とする開閉検知スイッチ。
【請求項３】
前記第１スイッチのケース体の背面に前記接触部を進入させる接触用開口を開設するとともに、該接触用開口に封止部材が着脱自在に嵌着されるようにしたことを特徴とする請求項２に記載した開閉検知スイッチ。
【請求項４】
電気接点を開閉させるプッシュ釦がケース体の前面にそれぞれ出没自在なるように設けられた第１スイッチと第２スイッチからなり、前記第１スイッチのケース体の側面にコネクタ差込口を形成し、該コネクタ差込口内に該第１スイッチの両導電部とそれぞれ連なる一対の接続ピンを突設するとともに該第１スイッチの一方の導電部と連なる接触部を該第１スイッチのケース体の背面に配設し、前記第２スイッチのケース体の側面には該第２スイッチの一方の導電部と連なる接続ピンを突設し、前記第１スイッチのケース体と前記第２スイッチのケース体とを互いに背中あわせとして連結することにより、前記第２スイッチの接続ピンが前記コネクタ差込口内にて前記第１スイッチの接続ピンと平行状態で配設され、前記接触部が前記第２スイッチの他方の導電部と電気的に導通するようにしたことを特徴とする開閉検知スイッチ。
【請求項５】
前記第２スイッチのケース体の背面に前記接触部を進入させる接触用開口を開設するとともに、該接触用開口に封止部材が着脱自在に嵌着されるようにしたことを特徴とする請求項４に記載した開閉検知スイッチ。
【請求項６】
前記第２スイッチのケース体の奥行寸法が異なるものを複数種類形成し、該各第２スイッチを前記第１スイッチと背中あわせとして連結し得るようにしたことを特徴とする請求項１〜５のいずれかに記載した開閉検知スイッチ。
【発明の詳細な説明】
【技術分野】
【０００１】
本発明は、主としてメダル又はパチンコ球を遊技媒体として用いる回胴式遊技機、雀球遊技機、アレンジボール、パチンコ遊技機、等の遊技機に、透明板保持枠等の扉体の開閉状態を検知するために設けられる開閉検知スイッチに関するものである。
【背景技術】
【０００２】
一般に遊技場に設置されるパチンコ遊技機は、方形枠状の機枠（外枠とも称される）に本体枠（遊技盤保持枠、または遊技機本体、または前面枠とも称される）が開閉自在に軸支され、該本体枠に遊技球が転動可能な遊技領域を有する遊技盤が固設され、該本体枠の透明板保持枠（ガラス扉枠、または前面扉とも称される）が開閉自在に軸支され、営業中は該本体枠に設けられたシリンダ錠を施錠しておくことにより、該本体枠に対して該機枠と該透明板保持枠が閉状態に保持されるようにしている。
【０００３】
また、防犯上の観点から、前記本体枠に検知スイッチを設け、該本体枠と機枠との間、或いは、該本体枠と透明板保持枠との間に隙間があると、該検知スイッチが作動し、その状態が電気信号として検知されて管理者に通報されるようにすることで、針金，ピアノ線等の異物を遊技機内に侵入させて遊技制御基板や球払出装置等の重要部品を操作し賞球を不正に取得するといった行為、および、透明板保持枠を不正に開放するといった行為を未然に防止し得るようにしている。
【０００４】
なお、下記特許文献１に示された遊技機では、プッシュ式の第１検知部とプッシュ式の第２検知部を前面と後面に設けてなる扉開放検出スイッチを本体枠に前後貫通状に形成された取付開口に嵌着し、該第１検知部により前面側の透明板保持枠の開閉状態が検知され、該第２検知部により後面側の機枠の開閉状態が検知されるようにすることで、上記のような不正行為が防止されるようにしている。
【先行技術文献】
【特許文献】
【０００５】
【特許文献１】特開２００４−１６３００号公報
【発明の概要】
【発明が解決しようとする課題】
【０００６】
ところで、特許文献１に示されたように、前面側と後面側との両方に検知部を設けた従来の扉開放検出スイッチでは、遊技機に使用するに際して次のような問題がある。
（イ）透明板保持枠や機枠が僅かに開放された状態であってもこれを検知できるようにするためには、その扉開放検出スイッチの厚さと本体枠の厚さとを完全に一致させなければならないため、従来の既存の扉開放検出スイッチを使用しようとすると、本体枠をその扉開放検出スイッチの厚さに合わせて設計しなければならず、そのために本体枠設計の自由度が制限されるという問題がある。逆に言えば、既存の扉開放検出スイッチは、本体枠の厚さが一定のものでないと使用できず、汎用性がないといった問題がある。
（ロ）また、遊技機の構造によっては必ずしも透明板保持枠と機枠との両方を検知する必要がない場合があるが、そのような場合でも上記既存の扉開放検出スイッチを使用すると、第１検知部または第２検知部のいずれかは使用されないので、一方の検知部が無用な存在となり無駄が大きい。
（ハ）なお、引用文献１に示されたような両側に検知部が設けられた既存の扉開放検出スイッチを使用することなく、本体枠の両面にそれぞれ独立した検出スイッチを取り付けることが考えられるが、そうすると、狭い範囲に２つの検出スイッチを背中合わせに設けることとなり、そのような取り付けは、本体枠等の構造上困難になる場合が多いとともに、２つの検出スイッチに配線をそれぞれしなければならないので手間が掛かりコスト増になるという問題がある。
【課題を解決するための手段】
【０００７】
本発明は上記のような課題を解決し得る開閉検知スイッチを提供するもので、電気接点を開閉させるプッシュ釦がケース体の前面にそれぞれ出没自在なるように設けられた第１スイッチと第２スイッチからなり、前記第１スイッチのケース体の側面にコネクタ差込口を形成し、該コネクタ差込口内に該第１スイッチの両導電部とそれぞれ連なる一対の接続ピンを突設し、前記第２スイッチのケース体の側面には該第２スイッチの両導電部とそれぞれ連なる一対の接続ピンを突設し、前記第１スイッチのケース体と前記第２スイッチのケース体とを互いに背中あわせとして連結した状態で前記第２スイッチの接続ピンが前記コネクタ差込口内にて前記第１スイッチの接続ピンと平行状態で配設されるようにしたことを特徴とする。
また、本発明に係る開閉検知スイッチは、電気接点を開閉させるプッシュ釦がケース体の前面にそれぞれ出没自在なるように設けられた第１スイッチと第２スイッチからなり、前記第１スイッチのケース体の側面にコネクタ差込口を形成し、該コネクタ差込口内に該第１スイッチの両導電部とそれぞれ連なる一対の接続ピンを突設し、前記第２スイッチのケース体の側面には該第２スイッチの一方の導電部と連なる接続ピンを突設するとともに該第２スイッチの他方の導電部と連なる接触部を該第２スイッチのケース体の背面に配設し、前記第１スイッチのケース体と前記第２スイッチのケース体とを互いに背中あわせとして連結することにより、前記第２スイッチの接続ピンが前記コネクタ差込口内にて前記第１スイッチの接続ピンと平行状態で配設され、前記接触部が前記第１スイッチの一方の導電部と電気的に導通するようにしたことを特徴とする。
また、本発明は、上記開閉検知スイッチにおいて、前記第１スイッチのケース体の背面に前記接触部を進入させる接触用開口を開設するとともに、該接触用開口に封止部材が着脱自在に嵌着されるようにしたことを特徴とする。
また、本発明に係る開閉検知スイッチは、電気接点を開閉させるプッシュ釦がケース体の前面にそれぞれ出没自在なるように設けられた第１スイッチと第２スイッチからなり、前記第１スイッチのケース体の側面にコネクタ差込口を形成し、該コネクタ差込口内に該第１スイッチの両導電部とそれぞれ連なる一対の接続ピンを突設するとともに該第１スイッチの一方の導電部と連なる接触部を該第１スイッチのケース体の背面に配設し、前記第２スイッチのケース体の側面には該第２スイッチの一方の導電部と連なる接続ピンを突設し、前記第１スイッチのケース体と前記第２スイッチのケース体とを互いに背中あわせとして連結することにより、前記第２スイッチの接続ピンが前記コネクタ差込口内にて前記第１スイッチの接続ピンと平行状態で配設され、前記接触部が前記第２スイッチの他方の導電部と電気的に導通するようにしたことを特徴とする。
また、本発明は、上記開閉検知スイッチにおいて、前記第２スイッチのケース体の背面に前記接触部を進入させる接触用開口を開設するとともに、該接触用開口に封止部材が着脱自在に嵌着されるようにしたことを特徴とする。
また、本発明は、上記開閉検知スイッチにおいて、前記第２スイッチのケース体の奥行寸法が異なるものを複数種類形成し、該各第２スイッチを前記第１スイッチと背中あわせとして連結し得るようにしたことを特徴とする。
【発明の効果】
【０００８】
本発明によれば、遊技機のスイッチ取付部位の状況、或いは、検知の必要性に応じ、第１スイッチのみを単独で取り付けたり、第１スイッチと第２スイッチとを連結状態として取り付けることにより、必要に応じた無駄のない使用ができるとともに、汎用性のある遊技機用開閉検知スイッチを提供し得る。また、第１スイッチと第２スイッチとを連結状態として取り付けた場合、該第１スイッチと第２スイッチのコネクタが一つに統合するので、統合したコネクタ差込口に対しプラグを差し込むだけで第１スイッチおよび第２スイッチへの配線が簡単にできるようになる。
【図面の簡単な説明】
【０００９】
【図１】本発明に係る開閉検知スイッチを構成する第１スイッチと第２スイッチの第１の実施形態を示した斜視図。
【図２】図１に示した第１スイッチと第２スイッチを他方向から見た斜視図。
【図３】図１に示した第１スイッチと第２スイッチの平面図。
【図４】図１に示した第１スイッチと第２スイッチの側面図。
【図５】本発明に係る開閉検知スイッチの第１スイッチの第１の実施形態を示した分解斜視図。
【図６】本発明に係る開閉検知スイッチの第２スイッチの第１の実施形態を示した分解斜視図。
【図７】本発明に係る開閉検知スイッチの第１の実施形態を示した斜視図。
【図８】図７の開閉検知スイッチの平面図。
【図９】図８のＡ−Ａ線断面図。
【図１０】本発明に係る開閉検知スイッチの第１の実施形態を示した縦断面図。
【図１１】本発明に係る開閉検知スイッチを取り付けたパチンコ遊技機について透明板保持枠を開いて前方から見た斜視図。
【図１２】本発明に係る開閉検知スイッチを取り付けたパチンコ遊技機について機枠を開いて後方から見た斜視図。
【図１３】本発明に係る開閉検知スイッチの第２スイッチの第１の実施形態を示した斜視図。
【図１４】本発明に係る開閉検知スイッチの第２スイッチの第１の実施形態を示した斜視図。
【図１５】本発明に係る開閉検知スイッチの第１スイッチの第２の実施形態を示した斜視図。
【図１６】本発明に係る開閉検知スイッチの第２スイッチの第２の実施形態を示した斜視図。
【図１７】本発明に係る開閉検知スイッチの第２の実施形態を示した縦断面図。
【図１８】本発明に係る開閉検知スイッチを構成する第１スイッチと第２スイッチの第３の実施形態を示した斜視図。
【発明を実施するための形態】
【００１０】
次に図１〜図１０に従い本発明の第１の実施形態を説明する。この開閉検知スイッチは、図１〜図４に示すように、第１スイッチＡと第２スイッチＢとからなる。
第１スイッチＡは、図５に分解斜視図を示したように、略々正方形箱状に形成されたプラスチック製のケース体１と、同じくプラスチック製のプッシュ釦２と、前記ケース体１の上面開口に合致するプラスチック製の蓋体３と、一端に棒状の接続ピン４が一体に形成された導電性金属板からなる導電部５と、一端に棒状の接続ピン６が一体に形成された導電性金属板からなる導電部７と、定幅の弾性金属板を二つ折りするとともにその一端に接触子８を二股状に形成してなる導電片９と、コイル状のバネ１０とからなる。前記プッシュ釦２は中空鞘状に形成され、その内部に前記導電片９を収容し、該導電片９の接触子８を該プッシュ釦２の基部開口から突出させている。なお、該プッシュ釦２の基部外周には該プッシュ釦２のケース体１からの抜脱を防ぐためのストッパとなる突縁１２が一体に形成されている。
【００１１】
また、ケース体１は、内底面に前記導電部５および導電部７を定置させるための窪部１１が２区画に形成され、該ケース体１の前面には前記プッシュ釦２を出没させるための開口１３が形成されている。また、略長方形筒状のコネクタ差込口１４が該ケース体１の一側面であって長手方向の約半分が背面側に突出するような形態で該ケース体１に一体に形成され、図４に示されるように、該コネクタ差込口１４の底部の長手方向長の約半分に内底部壁２７が形成され、該内底部壁２７に該ケース体１内と連通する一対の小孔１７，１８が形成され、該コネクタ差込口１４の長手方向長の他の約半分は該ケース体１の背面側に貫通させて貫通孔２８を形成してなる。また、該ケース体１の該コネクタ差込口１４と反対側の側面と背面との角に凹欠部１５を形成し、該凹欠部１５内に係合片１６が突設される。２３はコネクタ差込口１４の上壁上面に形成されたコネクタ係合用突起である。また、前記蓋体３の両側縁に一体に形成された垂下片に係合孔１９，２０を形成し、該係合孔１９，２０と合致し得る突起２１，２２を該ケース体１の両側面に形成している。２４は導電部５および導電部７を窪部１１中に押さえ付けて定置させるため蓋体３の下面に下垂柱状に形成した押付片である。
【００１２】
そして、前記小孔１７，１８に前記接続ピン４および接続ピン６を差し込み、前記導電部５および導電部７を前記窪部１１にそれぞれ非接触状態で定置させる。これにより、該接続ピン４および接続ピン６は、コネクタ差込口１４内にて所定間隔を離して平行に突設される。また、前記バネ１０の一端を前記プッシュ釦２中に差し込み、該バネ１０を圧縮状態として該プッシュ釦２を前記開口１３中に配置する。そして前記蓋体３を前記ケース体１に被せ、前記突起２１，２２に前記係合孔１９，２０を合致させ、該蓋体３を該ケース体１に固着し、前記押付片２４により導電部５および導電部７を移動不能に押さえ付ける。このため、プッシュ釦２が該バネ１０の弾性により前記開口１３から出没自在に突出し、該プッシュ釦２をバネ１０の弾性に抗して押し込むと、前記接触子８が前記導電部５，７上に進出し、該導電部５，７間を導通させる。このように第１スイッチＡは、前記プッシュ釦２を出没動させることで、電気接点が開閉するよう構成される。
【００１３】
一方、第２スイッチＢは、図６に分解斜視図を示すように、略方形箱状に形成されたプラスチック製のケース体３１と、プラスチック製のプッシュ釦３２と、前記ケース体１の上面開口に合致するプラスチック製の蓋体３３と、一端に棒状の接続ピン３４が一体に形成された導電性金属板からなる導電部３５と、一端に棒状の接続ピン３６が一体に形成された導電性金属板からなる導電部３７と、定幅の弾性金属板を二つ折りするとともに一端に接触子３８を二股状に形成してなる導電片３９と、コイル状のバネ４０とからなる。プッシュ釦３２は前記プッシュ釦２と同様に中空鞘状に形成され、内部に前記導電片３９を収容することで二股状の接触子３８を該プッシュ釦３２の基部開口から突出させている。また、ケース体３１は、内底面に前記導電部３５および導電部３７を定置させるための窪部４１が２区画に形成され、該ケース体３１の前面にプッシュ釦３２を出没させるための開口４３が形成されている。プッシュ釦３２の基部外周には該開口４３より大径で抜止ストッパとして作用する突縁４２が形成される。また、該ケース体３１の背面の一端部に突片４４を一体に形成し、該突片４４に一対の鉤状挟着片４５，４６を形成している。また、前記コネクタ差込口１４の貫通孔２８に対し背面から嵌合し得る角形の突部４７を該ケース体３１の一側面の背面部寄りに形成し、該突部４７に該ケース体３１内と連通する一対の小孔４８，４９を形成し、該小孔４８，４９に前記接続ピン３４および接続ピン３６を差し込み、導電部３５および導電部３７を前記窪部４１にそれぞれ定置させることにより、該接続ピン３４および接続ピン３６を該突部４７から外方に平行に突出させてなる。また、前記蓋体３３の両側縁に一体に形成された垂下片に係合孔５０，５１を形成し、該係合孔と合致し得る突起５２，５３を該ケース体３１の両側面に形成している。なお、５８は蓋体３３の下面に下垂柱状に形成された押付片である。
【００１４】
該第２スイッチＢは、前記第１スイッチＡと同様に、前記バネ４０の一端を前記プッシュ釦３２中に差し込み、該バネ４０を圧縮状態として該プッシュ釦３２を前記開口３３中に配置し、前記蓋体３３をその上から前記ケース体３１に被せ、突起５２，５３に係合孔５０，５１に合致させて該蓋体３３を固着し、押付片５８により導電部３５および導電部３７を移動不能に押さえ付け、該プッシュ釦３２を該バネ４０の弾性により該開口３３から出没自在に突出させることにより組み立てられる。このため該プッシュ釦３２を該バネ４０の弾性に抗して押し込むことで、前記接触子３８が前記導電部３５，３７上に進出し、該導電部３５，３７間が電気的に導通する。このように第２スイッチＢもプッシュ釦３２を出没動させることで電気接点が開閉する構成である。
【００１５】
このように構成した第１スイッチＡと第２スイッチＢとは、図７〜図１０に示したように連結される。即ち、第１スイッチＡのケース体１と第２スイッチＢのケース体３１とを互いに背中あわせとし、前記突部４７を前記コネクタ差込口１４の貫通孔２８に背後から嵌合することにより前記接続ピン３４，３６を該コネクタ差込口１４内にて前記接続ピン４，６と平行に突出させるとともに、前記鉤状挟着片４５，４６を前記凹部１５内の係合片１６に係合することにより、第１スイッチＡと第２スイッチＢとを連結状態とする。
【００１６】
このように第１スイッチＡ，第２スイッチＢは連結状態とすることによりコネクタ差込口１４内に４本の接続ピン４，６，３４，３６が平行に配設されるので、図７に示したように、該コネクタ差込口１４に対し、一つの４Ｐプラグ６０を差し込むことで、該４Ｐプラグ６０は該各接続ピン４，６，３４，３６と合着して配線が完了し、配線元の電子機器により両スイッチＡ，Ｂの電気接点の開閉を検出できるようになる。即ち、第１スイッチＡと第２スイッチＢとを連結状態とすることで、該第１スイッチＡのコネクタと該第２スイッチＢのコネクタとが一つのコネクタ差込口１４に統合するので、該コネクタ差込口１４に対して一つのプラグ６０を差し込むだけで、両スイッチＡ，Ｂへの配線が完了する。
【００１７】
図１１、図１２にこの開閉検知スイッチのパチンコ遊技機への使用例を示したように、連結状態とした第１スイッチＡと第２スイッチＢとは、本体枠６０に前後貫通状に形成した取付開口に嵌着され、該第１スイッチＡのプッシュ釦２を該本体枠６０の前面に突出させ、該第２スイッチＢのプッシュ釦３２を該本体枠６０の後面に突出させる。これにより、第１スイッチＡで透明板保持枠６１の開閉状態が検出され、第２スイッチＢで機枠６２に対する該本体枠６０の開閉状態が検出される。即ち、透明板保持枠６１が隙間なく閉じられているときは、プッシュ釦２が透明板保持枠６１によって押圧され、第１スイッチＡの電気接点が閉じることでその閉状態が電気的に検出され、透明板保持枠６１と該本体枠６０との間に隙間ができるとプッシュ釦２が前記バネ１０の弾性により突出し該第１スイッチＡの電気接点が開くことでその開状態が電気的に検出される。また、機枠６２に対し本体枠６０が隙間なく閉じられているときは、プッシュ釦３２と相対するように機枠６２に固設された当板６３によって該プッシュ釦３２が押圧され、第２スイッチＢの電気接点が閉じられることから、その閉状態が電気的に検出され、該機枠６２と該本体枠６０との間に隙間ができると該プッシュ釦３２が前記バネ４０の弾性により突出し第２スイッチＢの電気接点が開くことでその開状態が検出される。
【００１８】
一方、図１３に示した第２スイッチＢ２は、ケース体３１の奥行寸法Ｄ２を前記第２スイッチＢのケース体３１の奥行寸法Ｄよりも小さく形成したものであり、その他の構成は前記第２スイッチＢと同じである。
また、図１４に示した第２スイッチＢ３は、ケース体３１の奥行寸法Ｄ３を前記第２スイッチＢのケース体３１の奥行寸法Ｄよりも大きく形成したものであり、その他の構成は前記第２スイッチＢと同じである。
このように、第２スイッチについては、図１３および図１４に示したもの以外にも、ケース体３１の奥行寸法が異なるものを複数種類形成し、その中から本体枠６０の厚さに従い適当な奥行寸法の第２スイッチを選択し、適当な奥行寸法の第２スイッチを前記第１スイッチＡのケース体１と背中あわせとして連結する。これにより、本体枠６０の両面にプッシュ釦２およびプッシュ釦３２を常に過不足のない最適な突出状態で取り付けることができ、透明板保持枠６１や機枠６２の僅かな開放も検知できるようになる。また、連結する第２スイッチによってこの遊技機用開閉検知スイッチ全体の厚さを適宜調節することが可能であるので、汎用性が生じ、本体枠６０、透明板保持枠６１、機枠６２等の設計の自由度が増すとともに、様々なニーズに素早く応じることが可能となる。
【００１９】
なお、第１スイッチＡと第２スイッチＢ〜Ｂ３とを連結しないで、第１スイッチＡのみを単独で使用することもできる。図１１に示したパチンコ遊技機では、前面下部枠６４の裏面に対しプッシュ釦２が相対するように、本体枠６０の下部前面に取り付けた第１スイッチＡが該第１スイッチＡを単独で使用した場合の例である。同図に示した前面下部枠６４には、周知の球受皿６５、遊技操作盤６６、発射ハンドル６７等が設けられ、該前面下部枠６４の一側縁が本体枠６０の前面に開閉可能に軸支され、該第１スイッチＡによって該前面下部枠６４の開閉状態、および、該本体枠６０と該前面下部枠６４との間の隙間の有無が検出される。
このように、遊技機のスイッチ取付部位の状況、或いは、検知の必要性に応じ、第１スイッチのみを単独で取り付けることで、無駄のない使用をすることができる。
【００２０】
次に、図１５〜図１７に示した本発明の第２の実施形態を説明する。この実施形態は、第１スイッチＡのケース体１の背面に図１５に示したように横長孔状の接触用開口２５を開設する。なお、該接触用開口２５を開設することにより、該接触用開口２５の内側にちょうど一方の導電部７が位置するようにする。２６は該接触用開口２５に必要に応じて着脱自在に嵌着し得る長方形板状の封止部材（キャップ）である。第１スイッチＡのその他の構成は第１の実施形態と同じであるので、同一部分について同一符号を付し、説明を省略する。
また、第２スイッチＢは、図１６に示したように、一方の導電部３５と連なる一本の接続ピン３４だけをケース体３１の側面に形成された突部４７から突出させるとともに、他方の導電部３７に接触部５５を延設し、該接触部５５を該第２スイッチのケース体３１の背面から外方に突出させてなる。第２スイッチＢのその他の構成は第１の実施形態と同じであるので、同一部分に同一符号を付すことにより説明を省略する。
【００２１】
このように構成した第１スイッチＡと第２スイッチＢとは、図１７に示したように、互いに背中あわせに連結した状態とする。即ち、第２スイッチＢのケース体３１の突部４７を第１スイッチＡのコネクタ差込口１４の貫通孔２８に対し背後から嵌合することで該コネクタ差込口１４内にて第２スイッチＢの接続ピン３４を第１スイッチＡの接続ピン４，６と平行状態で配設するとともに、前記接触用開口２５に前記接触部５５を進入させ、該接触部５５を第１スイッチの一方の導電部７に接触させることで、該導電部７と導電部３７とを電気的に導通させる。そして、鉤状挟着片４５，４６を凹部１５内の係合片１６に係合することにより、該第１スイッチＡと該第２スイッチＢとの連結状態が保持されるようにする。
【００２２】
このように第１スイッチＡと第２スイッチＢとを連結することでは、接続ピン６が該第１スイッチＡと該第２スイッチＢの共用（コモン）ピンとして機能する。このため、該コネクタ差込口１４に３Ｐプラグ（図示せず）を差し込むことで、該３Ｐプラグが各接続ピン４，６，３４と合着し、接続ピン４と接続ピン６を通して得られる電気信号により第１スイッチＡの電気接点の開閉が検出され、接続ピン６と接続ピン３４を通して得られる電気信号により第２スイッチＢの電気接点の開閉が検出される。このように第２の実施形態で示した遊技機用開閉検知スイッチでは、接続ピン６が共用されるので、コネクタ・プラグを小型化できるとともに必要な配線本数が少なくなり簡単に配線が完了するのでコストも軽減される。
なお、第２の実施形態においても、第２スイッチＢのケース体３１について、奥行寸法が異なるものを複数種類形成しておくことにより、汎用性が生じ、厚さの異なる本体枠６０にも容易に適合し得るようになり、設計の自由度が増す。
【００２３】
一方、第１スイッチＡを単独で使用する場合は、前記接触用開口２５に前記封止部材２６を嵌着して該接触用開口２５を封止することにより、該接触用開口２５からケース体１内に異物が侵入するのを防止するとともに、接続ピン４，６を通し該第１スイッチＡの電気接点の開閉が検出されるようにする。このように、第２の実施形態として示した遊技機用開閉検知スイッチについても、遊技機のスイッチ取付部位の状況や検知の必要性に鑑み、第１スイッチＡのみを単独で取り付けることで、無駄のない使用をすることができ経済性も向上する。
【００２４】
なお、図１５〜図１７に示した第２の実施形態では、第１スイッチＡのケース体１の背面に接触用開口２５を開設し、第２スイッチＢのケース体３１の背面に接触部５５を配設したが、その反対に、第１スイッチＡのケース体１の背面に該第１スイッチＡの導電部７と連なる接触部５５を配設し、第２スイッチＢのケース体３１の背面に該接触部５５を進入させる接触用開口２５を開設し、該ケース体１とケース体３１とを互いに背中あわせとして連結することにより、該接触部５５が第２スイッチＢの他方の導電部３７と電気的に導通するようにしてもよい。
【００２５】
一方、図１８に示した第３の実施形態は、第１スイッチＡのケース体１の背面に該第１スイッチＡの導電部７と連なる接触部７０を配設するとともに、第２スイッチＢのケース体３１の背面に該第２スイッチＢの導電部３７と連なる接触部７１を配設し、該ケース体１とケース体３１とを互いに背中あわせとして連結することにより、該接触部７０と該接触部７１とが圧着し、第１スイッチＡの導電部７と第２スイッチＢの導電部３７とが電気的に導通するようにしたものであり、このように構成することによっても、以上の実施形態と同様に無駄のない使用ができるとともに、汎用性のある開閉検知スイッチを提供し得る。
【符号の説明】
【００２６】
Ａ                    第１スイッチ
Ｂ，Ｂ２，Ｂ３        第２スイッチ
Ｄ，Ｄ２，Ｄ３        奥行寸法
１，３１              ケース体
２，３２              プッシュ釦
３，３３              蓋体
４，６，３４，３６    接続ピン
５，７，３５，３７    導電部
１０，４０            バネ
１４                  コネクタ差込口
１５                  凹部
１６                  係合片
１７，１８            小孔
２５                  接触用開口
２６                  封止部材
２７                  内底部壁
２８                  貫通孔
４４                  突片
４５，４６            鉤状挟着片
４７                  突部
４８，４９            小孔
５５，７０，７１      接触部
６０                  本体枠
６１                  透明板保持枠
６２                  機枠
【図１】
2015089381.tif 000003
【図２】
2015089381.tif 000004
【図３】
2015089381.tif 000005
【図４】
2015089381.tif 000006
【図５】
2015089381.tif 000007
【図６】
2015089381.tif 000008
【図７】
2015089381.tif 000009
【図８】
2015089381.tif 000010
【図９】
2015089381.tif 000011
【図１０】
2015089381.tif 000012
【図１１】
2015089381.tif 000013
【図１２】
2015089381.tif 000014
【図１３】
2015089381.tif 000015
【図１４】
2015089381.tif 000016
【図１５】
2015089381.tif 000017
【図１６】
2015089381.tif 000018
【図１７】
2015089381.tif 000019
【図１８】
2015089381.tif 000020